(57)【要約】【課題】建築工事と設備工事とで構造物を施工する場合に、工期短縮を図ることができるとともに、一時的に設備工事の作業員が一か所に集中して作業効率が低下することを防止でき、特に鉄骨建方などの躯体工事に遅れが生じた場合に有効な先行配管施工方法を得る。【解決手段】鉄骨建方、スラブデッキ敷き、コンクリート打設などの建築工事の工程と、配管工事などの設備工事の工程とを有する構造物の施工方法において、鉄骨建方の工程中にこれと並行して配管工事を行う。【選択図】        図１
2004169290.tif 000002
【特許請求の範囲】
【請求項１】
鉄骨建方、スラブデッキ敷き、コンクリート打設などの建築工事の工程と、配管工事などの設備工事の工程とを有する構造物の施工方法において、鉄骨建方の工程中にこれと並行して配管工事を行うことを特徴とする先行配管施工方法。
【請求項２】
配管工事は、鉄骨建方で構築した梁やスラブからとったサポートなどの支持部から支持金物、吊りボルト、吊りバンドなどの吊材を取り付け、該吊材に給水管などの配管を吊り込む請求項１記載の先行配管施工方法。
【発明の詳細な説明】
【０００１】
【発明の属する技術分野】
本発明は、鉄骨造の建物などの構造物の施工における配管施工方法に関するものである。
【０００２】
【従来の技術】
鉄骨造の建物などの構造物の施工は、建築工事と設備工事とで成り立つが、従来の施工手順は図７の施工手順に示すように、まず、建築工事として鉄骨建方、デッキ敷きを行い、次いで配筋、コンクリート止めを行ってから設備工事として配管を支持するためのインサート金物を取り付け、その後、コンクリートを打設して耐火被覆工事を行う。
【０００３】
そして、これらの工程終了後に、コンクリートの強度が発現するのを待ってから設備工事である配管工事に移行する。すなわち、打設コンクリートに埋設したインサート金物に吊りボルト、吊りバンドなどの吊材を取り付け、これら吊材に給水管などの配管を吊り込む。
【０００４】
前記先行技術は当業者の間で一般的に行われているものであり、文献公知発明にかかるものではない。
【０００５】
【発明が解決しようとする課題】
打設コンクリートの強度が出るまでは配管工事を開始できないため、特に打設階の下階区域は設備工事が行えず、無駄な空間となり、その分だけ工期をいたずらに要し、工期が長引く。また、設備工事ができるようになった階では多数の設備工事作業者が集中し、作業効率が低下するおそれがある。
【０００６】
本発明の目的は前記従来例の不都合を解消し、建築工事と設備工事とで構造物を施工する場合に、工期短縮を図ることができるとともに、一時的に設備工事の作業員が一か所に集中して作業効率が低下することを防止でき、特に鉄骨建方などの躯体工事に遅れが生じた場合に有効な先行配管施工方法を提供することにある。
【０００７】
【課題を解決するための手段】
本発明は前記目的を達成するため、第１に、鉄骨建方、スラブデッキ敷き、コンクリート打設などの建築工事の工程と、配管工事などの設備工事の工程とを有する構造物の施工方法において、鉄骨建方の工程中にこれと並行して配管工事を行うことを要旨とするものである。
【０００８】
第２に、配管工事は、鉄骨建方で構築した梁やスラブからとったサポートなどの支持部から支持金物、吊りボルト、吊りバンドなどの吊材を取り付け、該吊材に給水管などの配管を吊り込むことを要旨とするものである。
【０００９】
請求項１記載の本発明によれば、鉄骨建方と同時進行で配管工事を行うことができ、工期短縮を図ることができ、また、コンクリート打設後に配管工事を行う場合に比較して作業員数の定員化が図れる。
【００１０】
請求項２記載の本発明によれば、前記作用に加えて、鉄骨建方の工程の終了近くでは、梁などか構築されているから、これに支持金物や吊材を取り付けて、これに配管を吊り込むことにより、鉄骨建方と同時進行で配管工事を行うことができる。また、適当な箇所に梁などが無い場合は、鋼管にてスラブよりサポートをとることで支持金物や吊材を取り付けることができる。
【００１１】
【発明の実施の形態】
以下、図面について本発明の実施の形態を詳細に説明する。図１は本発明の先行配管施工方法の実施形態を示す施工手順の工程図で、鉄骨造の建物の構築は建築工事と設備工事とで成り立ち、建築工事の内容としては従来と同様、鉄骨建方、デッキ敷きを行い、次いで配筋、コンクリート止めを行ってからコンクリートを打設し、最後に耐火被覆工事を行う。
【００１２】
また、設備工事も内容としては従来と同様、給水管、冷温水管、消火管などの配管工事、試験調整工事、保温工事を含む。
【００１３】
本発明では、かかる建築工事と設備工事とを有する鉄骨造の構造物を構築する場合に、設備工事のうちの配管工事の工程を、建築工事の鉄骨建方の工程の終了部分と並行させ同時進行させるようにした。
【００１４】
この配管工事の工程を図２〜図６について説明すると、鉄骨建方の工程の終了部分では梁１などの構造部材は構築されているが、上部スラブデッキ２は未だ施工されていない。図２に示すようにここまで施工が進行した状態で、Ｈ形鋼による鉄骨の梁１に支持金物３を取り付ける。
【００１５】
また、支持金物３の取付の間隔（支持間隔）は約３ｍとし、取付作業は、例えば、一階部分の土間コンクリート打設前の土の状態をフラットにして、下部方向から高所作業車などを使用して行う。
【００１６】
図３にも示すように、このようにして梁１に取り付けた支持金物３に吊りボルト４、吊りバンド５をさらに取り付ける。
【００１７】
そして、図４に示すように吊りバンド５の先端に給水管などの配管６を吊り込む。この作業も高所作業車などを使用して行う。なお、適当な箇所に梁１が無い場合は、鋼管にてスラブよりサポートをとる。
【００１８】
次に上部スラブデッキ２を敷き、この上部スラブデッキ２の下面に規定の支持間隔（１．５ｍ）になるようにインサート金物７を取り付けて、上部スラブデッキ２の上にコンクリート８を打設する（図５参照）。インサート金物７は一例としてデッキ用のアンカー型のものを使用し、デッキプレートに孔をあけ、この孔に差し込みハンマーで打ち込むことでデッキプレートに固定する。
【００１９】
打設したコンクリート８に規定の強度が発現するまで養生し、その後、図６に示すように強度の出たコンクリート８から吊りボルト４、吊りバンド５を追加して取り付け、この吊りバンド５で配管６を支持する。
【００２０】
このようにして鉄骨建方と同時進行で配管工事が開始し、コンクリート８の強度が発現するのを待たずに配管が行える。
【００２１】
【発明の効果】
以上述べたように本発明の先行配管施工方法は、建築工事と設備工事とで構造物を施工する場合に、建築工事の鉄骨建方の工程中に設備工事の配管工事を同時進行させることができるから、工期短縮を図ることができるとともに、一時的に設備工事の作業員が一か所に集中して作業効率が低下することを防止でき、特に鉄骨建方などの躯体工事に遅れが生じて設備天井内工事期間が短くなってきた場合などに有効なものである。
【図面の簡単な説明】
【図１】本発明の先行配管施工方法の実施形態を示す施工手順の工程図である。
【図２】本発明の先行配管施工方法の実施形態を示す配管工事の第１工程図である。
【図３】本発明の先行配管施工方法の実施形態を示す配管工事の第１工程の要部の正面図である。
【図４】本発明の先行配管施工方法の実施形態を示す配管工事の第２工程図である。
【図５】本発明の先行配管施工方法の実施形態を示す配管工事の第３工程図である。
【図６】本発明の先行配管施工方法の実施形態を示す配管工事の第４工程図である。
【図７】従来の施工方法の施工手順を示す工程図である。
【符号の説明】
１…梁                          ２…上部スラブデッキ
３…支持金物                    ４…吊りボルト
５…吊りバンド                  ６…配管
７…インサート金物              ８…コンクリート
【図１】
2004169290.tif 000003
【図２】
2004169290.tif 000004
【図３】
2004169290.tif 000005
【図４】
2004169290.tif 000006
【図５】
2004169290.tif 000007
【図６】
2004169290.tif 000008
【図７】
2004169290.tif 000009